(57)【特許請求の範囲】
【請求項１】
一端側に内容物入り袋物の投入口、他端側に包材排出口をそれぞれ設けた横長状のドラム体と、該ドラム体内に軸方向に沿って軸支された羽根車と、該羽根車に対向し、前記ドラム体の上面内壁に螺旋状を呈するように突設した破袋リブと、前記ドラム体の下面に設けた網部とを備えた破袋装置において、前記破袋リブ間に破袋突子を設けたことを特徴とする破袋装置。
【請求項２】
前記ドラム体の上半分の少なくとも一部が、クラムシェル状に開放可能になっていることを特徴とする請求項１に記載の破袋装置。
【請求項３】
前記投入口が、前記羽根車の回転方向と同方向を指向する投入通路に連通していることを特徴とする請求項１又は２に記載の破袋装置。
【請求項４】
前記網部が、ドラム体の下面に着脱可能に取り付けた集液を兼ねたカバー体で覆ったことを特徴とする請求項１〜３のうちの１に記載の破袋装置。
【発明の詳細な説明】
【０００１】
【産業上の利用分野】
本発明は、内容物入り袋物の包材を破り、該包材と内容物を分別処理できるようにした破袋装置に関するものである。
【０００２】
【従来の技術】
一般に、内容物入り袋物を廃棄する場合、その包材を破り、内容物を取り出して分別廃棄すことが必要であり、このための種々の破袋装置が提案されている。その代表的な装置を図７に示す。これは横長状のドラム体７１の一端側に投入口７２を設け、該投入口７２から投入した内容物入り袋物Ｆは、該ドラム体７１内で軸方向に沿って軸支され、軸方向に対して直交状に回転する羽根車７３と、該羽根車７３に対向し、前記ドラム体７１の上面内壁に螺旋状を呈するように突設した破袋リブ７４との間で挟圧されて破袋され、破袋リブ７４の螺旋に沿って他端側に向けて移送される。この移送の間に内容物Ｆ１  は前記ドラム体７１の下面に設けた網部７５よりドラム外に排出される一方、包材Ｆ２  はドラム体７１の他端側に設けた包材排出口７６よりドラム外に排出される。即ち、内容物入り袋物Ｆは、内容物Ｆ１  と包材Ｆ２  とが分別できるようになっていた。
【０００３】
【発明が解決しようとする課題】
しかしながら、上記破袋装置は、羽根車７３と破袋リブ７４との間で挟圧により内容物入り袋物を破袋することから、破袋リブ間の幅を狭くし過ぎると、羽根車との間で投入袋物を噛み込んでしまう事故が起こり得ることから、これを避けるために破袋リブ間の幅は広めに設定される。従って、投入袋物の形体が小さいとき（例えば、醤油入りの小袋）では、袋物が破袋リブ７４の間隔をすり抜けてしまい、破袋できないことが起こり得た。
【０００４】
また、上記破袋装置では、破られた包材から排出した内容物がドラム体７１の内壁面や破袋リブ７３間に付着することが避けられないが、この付着物の清掃が困難であったため、夏季の如く腐敗しやすい時期にあっては悪臭を発する虞があった。
【０００５】
さらに、上記破袋装置では、前記投入口が、前記ドラム体７１の一側面から羽根車７３の側面の回転面を横切るように指向した投入通路に連通していたため、投入した内容物入り袋物が羽根車の回転面を横切れずに跳ね返され、作業者の衣服や顔を汚すような事故が生ずる虞があり得た。
【０００６】
さらにまた、上記破袋装置では、羽根車７３と破袋リブ７４との挟圧にて内容物入り袋物Ｆを破袋するときに生ずる大きな破袋音を発するが、ドラム体の下面に設けた網部７５より機外に漏れ出ることから、運転中に騒音が激しいという問題があった。
【０００７】
本発明は、上記した種々の問題を解消するためのもので、その目的とするところは、内容物入り袋物が破袋リブの間隔をすり抜けてしまうような形体が小さいときでも、すり抜けさせないようにした破袋装置を提供することにある。また、他の目的は、破袋時に付着した内容物を簡易に清掃できる破袋装置を提供することにある。さらに、他の目的は、投入口より投入した内容物入り袋物が羽根車によって跳ね返されることのない破袋装置を提供することにある。さらにまた、他の目的は、ドラム体の下面の網部より破袋音が機外に漏れ出ないようにした破袋装置を提供することにある。
【０００８】
【課題を解決するための手段】
上記目的を達成するため、本発明は、一端側に内容物入り袋物の投入口、他端側に包材排出口をそれぞれ設けた横長状のドラム体と、該ドラム体内に軸方向に沿って軸支された羽根車と、該羽根車に対向し、前記ドラム体の上面内壁に螺旋状を呈するように突設した破袋リブと、前記ドラム体の下面に設けた網部とを備えた破袋装置において、前記破袋リブ間に破袋突子を設け、破袋リブのリブ間をすり抜けるような形体の袋物も確実に捕らえて破袋できるように構成した。
【０００９】
また、請求項２に記載の発明は、前記ドラム体の上半分の少なくとも一部が、クラムシェル状に開放可能にし、ドラム体の内壁面や破袋リブ間に付着した内容物が簡易に洗い流して常に清潔に保てるように構成した。
【００１０】
さらに、請求項３に記載の発明は、前記投入口が前記羽根車の回転方向と同方向を指向する投入通路に連通し、投入した内容物入り袋物が羽根車によって自然に引き込まれる方向に投入できるように構成した。
【００１１】
さらにまた、請求項４に記載の発明は、前記網部がドラム体の下面に着脱可能に取り付けた集液を兼ねたカバー体で覆い、網部から漏れ出る騒音を確実に遮断できるように構成した。
【００１２】
【発明の実施の態様】
以下、本発明の実施態様を添付の図１〜図６に基づいて説明する。図１は本願破袋装置の斜視図、図２は本願破袋装置の断面正面図、図３は本願破袋装置の平面図、図４は本願破袋装置の断面側面図、図５はドラム体の上半分をクラムシェル状に開放した状態を示す断面側面図、図６は内容物入り袋物を破袋・移送する羽根車と破袋リブとの関係を示す斜視図である。
【００１３】
本願破袋装置１は、下端にキャスター２を備えた脚部３にて四方が支持された横長状のドラム体４を備えている。該ドラム体４はその端面４ａ、４ｂ間に羽根車５の支軸６が挿通軸架されている。この羽根車５はドラム体４の上方（上方には限らない）に設置したモータ７にベルト連繋され、ドラム体４の軸方向に対して直交状に回転できるようになっている。
【００１４】
前記ドラム体４の一端側の上面には内容物入り袋物Ｆの投入口８が設けられている。該投入口８はその立ち上がり部８′内に設置した投入通路９に連通している。該投入通路９は、図４の如く、投入口８より投入した内容物入り袋物Ｆが、前記羽根車５の回転方向（矢印方向）と同方向を指向するように、滑り板７ａ、７ｂを組合せて構成され、投入した袋物Ｆを、羽根車５により引き込まれるように投入できるようにし、跳ね返されることがないようにしている。また、投入通路９を構成する滑り板７ａ、７ｂの配置は作業者が手を引き込まれないようにするためにも寄与している。
【００１５】
前記ドラム体４の上面内壁には、前記羽根車５に対向して破袋リブ１０が螺旋状を呈するように複数条設けられている。該破袋リブ１０はドラム体４の上面が外方へ三日月状に膨出された空間を利用して突設されている。このため、破袋リブ１０は前記羽根車５と僅かな隙間を介して対峙し、投入袋物Ｆを羽根車５との間で挟圧して破袋できるようになっている。破袋後に内容物が流出した空の包材は羽根車５の風圧により破袋リブ１０の螺旋に沿って他端側に向けて順次移送される。
【００１６】
前記破袋リブ１０と前記羽根車５とで破袋された内容物入り袋物Ｆから流出した内容物Ｆ１  はドラム体４の内面を伝って下面に集められ、網部１１よりドラム外に排出される一方、空になった包材Ｆ２  は、ドラム体４の他端側に設けた包材排出口１２よりドラム外に排出される。この包材排出口１２から排出した包材は網状袋（図示せず）にて受け取られるようにする。
【００１７】
前記ドラム体４の下面に設けた網部１１は、打ち抜き板か、鋼線を直交状に編んだものが使用される。網目の大きさは内容物を入れた袋物Ｆの内容物によって適宜選択されるが、具体的には５ｍｍ以上が油膜や水膜を作らせないために有効である。なお、内容物がパンのような液状物でない場合には、前記羽根車５によって裏ごしされるような格好で網部１１を強制通過することとなるので、前記羽根車５の端縁は少なくとも耐磨耗性に優れた素材（例えば特殊ゴム）で構成するとよい。
【００１８】
前記隣接する破袋リブ１０間の幅（ピッチ）Ｄは、投入袋物を羽根車５との間で噛み込まれる事故を避けるために広めに設定されているが、この幅Ｄをすり抜けるような小型の袋物をも確実に捕らえて破袋できるようにするために、破袋突子１３を突設している。この破袋突子１３は、例えば、破袋リブ１０間に一個設置した場合には、破袋リブ１０間において作られる螺旋通路は二分割され、二個設置した場合には、破袋リブ１０間の螺旋通路は三分割されることとなる。従って、破袋突子１３により何分割するかは破袋しようとする袋物の小ささを考慮して設定されるが、図３では、突子１３を四個設置して破袋リブ１０間の螺旋通路を五分割している。これは極めて小さいサイズの袋物をも確実に捕らえて破袋しようとするものである。
【００１９】
なお、前記破袋突子１３は、図３によれば、複数条の破袋リブ１０の個々の条間の総て設置しているが、一つの条間のみに設置してもよい。また、該破袋突子１３の設置位置は、破袋リブ１０の流入側になっているが、この位置には限らない。さらに、破袋突子１３の高さは、その設置位置における破袋リブ１０の高さ以下であることは勿論である。さらにまた、破袋突子１３の形態は図面では矩形状になっているが、破袋性があるならば、半円状でも三角状でも棒状でもその他の形状でもよい。また、破袋突子１３の必要な端縁に鋭利な加工を施すこともある。
【００２０】
前記ドラム体４は、その上半分の少なくとも一部４′が、図１及び図５の如くクラムシェル状（貝状）に開放可能になっている。これはドラム体４の内壁面や破袋リブ１０間に付着した内容物（液など）を開放して水洗できるようにするためである。ここにクラムシェル状とは蝶番１４を中心に開放するものをいう。この場合、開放端側は適当な形状の締め具１５によって簡易にして確実に締め込みできるようになっている。なお、詳細には図示していないが、クラムシェル状に開放されるドラムの一部４′はドラムの本体部分に対して必要な重なり部分が作られてパッキング部材によりシールすることは必要である。
【００２１】
前記網部１１はドラム体４の下面に着脱可能に取り付けた集液を兼ねたカバー体１６で覆われている。該カバー体１６の最低部には集められた液等を排出する排出管１７が設けられている。このカバー体１６にて網部１１を覆ったのは破袋時の騒音を遮断して漏らさないために有効であるが、該カバー体１６は内容物が液体又は液状のものの場合以外は取り外され、網部１１から落下する内容物を受け取るベルトコンベアー（図示せず）に代えることもあるから、カバー体１６による騒音防止効果は内容物が液体又は液状のものの場合に限って認められるものであることは勿論である。
【００２２】
本願破袋装置１は上述の如く構成したから、いま、ドラム体４の頂面に設置したモータ７を駆動して羽根車５を回転させ、ドラム体４の一端側の上面に設けた投入口８より内容物入り袋物Ｆを投入すると、内容物入り袋物Ｆは、羽根車５とドラム体４の上面内壁に設けた破袋リブ１０との間で挟圧され破袋される。この場合、隣接する破袋リブ１０間には破袋突子１３が配設されているため、形体の小さい袋物をもすり抜けさせることなく確実に捕らえて破袋できる。
【００２３】
また、前記投入口８は前記羽根車５の回転方向と同方向を指向するように設けた投入通路９に連通しているため、投入袋物Ｆは羽根車５の回転方向と同方向に引き込まれるように投入されるため、羽根車５により跳ね返されて作業者の衣服などが汚されることがない。
【００２４】
このようにして、破袋リブ１０と羽根車５とで破袋されると、これより内容物Ｆ１  が流出し、ドラム体４の内面を伝って下面に集められ、網部１１より排出されてカバー体１６により集液され排出管１７にて回収される一方、空になった包材Ｆ２  は、ドラム体４の他端側に移送されて包材排出口１２より網状袋（図示せず）にて次々と受け取られる。なお、前記カバー体１６は網部１１からの破袋時の騒音を遮断する。
【００２５】
かくして、破袋（分別）作業が終了した後、ドラム体４の上半分の一部４′を開放すれば、その内壁面や破袋リブ間に付着した内容物は綺麗に水洗でき、夏季のような時期にあっても衛生的に保てるものである。
【００２６】
【発明の効果】
以上の如く、本発明に係る破袋装置は、一端側に内容物入り袋物の投入口、他端側に包材排出口をそれぞれ設けた横長状のドラム体と、該ドラム体内に軸方向に沿って軸支された羽根車と、該羽根車に対向し、前記ドラム体の上面内壁に螺旋状を呈するように突設した破袋リブと、前記ドラム体の下面に設けた網部とを備えた破袋装置において、前記破袋リブ間に破袋突子を設けたことを特徴としているから、破袋リブのリブ間をすり抜けるような形体の小さな袋物も確実に捕らえて破袋できるという優れた効果を奏するものである。
【００２７】
また、請求項２に記載の発明に係る破袋装置は、前記ドラム体の上半分の少なくとも一部が、クラムシェル状に開放可能にしたことを特徴としているから、ドラム体の内壁面や破袋リブ間に付着した内容物が簡易に洗い流しでき、従って、常に清潔に保てるという優れた効果を奏するものである。
【００２８】
さらに、請求項３に記載の発明に係る破袋装置は、前記投入口が前記羽根車の回転方向と同方向を指向する投入通路に連通したことを特徴としているから、投入した内容物入り袋物が羽根車によって自然に引き込まれ、跳ね返されて作業者の衣服や顔を汚す事故の発生を防ぐことができるという優れた効果を奏するものである。
【００２９】
さらにまた、請求項４に記載の発明に係る破袋装置は、前記網部がドラム体の下面に着脱可能に取り付けた集液を兼ねたカバー体で覆ったことを特徴としているから、網部から漏れ出る騒音を確実に遮断できるという優れた効果を奏するものである。
【図面の簡単な説明】
【図１】  本願破袋装置の斜視図である。
【図２】  本願破袋装置の断面正面図である。
【図３】本願破袋装置の断面側面図である。
【図４】  本願破袋装置の斜視図である。
【図５】  ドラム体の上半分の一部をクラムシェル状に開放した状態を示す断面側面図である。
【図６】内容物入り袋物を破袋・移送する羽根車と破袋リブとの関係を示す斜視図である。
【図７】  従来型の破袋装置の一部切欠斜視図である。
【符号の説明】
１  本願破袋装置
２  キャスター
３  脚部
４  ドラム体（横長）
４ａ、４ｂ  ドラム体の端面
４′  ドラムの一部
５  羽根車
６  支軸
７  モータ
７ａ、７ｂ  滑り板
８  投入口
８′  立ち上がり部
９  投入通路
１０  破袋リブ
１１  網部
１２  包材排出口
１３  破袋突子
１４  蝶番
１５  締め具
１６  カバー体
１７  排出管
Ｆ  内容物入り袋物
Ｆ１    内容物
Ｆ２    包材
７１  ドラム体
７２  投入口
７３  羽根車
７４  破袋リブ
７５  網部
７６  包材排出口
【図１】
0004669136.tif 000002
【図２】
0004669136.tif 000003
【図３】
0004669136.tif 000004
【図４】
0004669136.tif 000005
【図５】
0004669136.tif 000006
【図６】
0004669136.tif 000007
【図７】
0004669136.tif 000008